(57)【要約】【課題】画像処理装置において、マンマシンインターフェース用の第１電子基板が、他の第２電子基板からの制御によって点灯される節電状態の通知用の発光部品を含んでいる場合に、その発光部品の良否を、第１電子基板単独でチェックすることができること。【解決手段】第２電子基板（２０）には、第１電子基板（１０）における第１制御部（１４１）に対する電力供給の停止中に動作する第２制御部（２１）が設けられる。第１電子基板（１０）には、状況に応じて電力の供給が停止される第１制御部（１４１）と、第１制御部（１４１）から出力される第１制御信号と前記第１制御部（１４１）に対する電力供給の停止中に前記第２制御部（２０）から出力される第２制御信号との組み合わせに応じて発光部品（１３２）の点灯及び消灯を切り替える発光切替回路（１５）とが設けられる。【選択図】図２
2011097325.tif 000002
【特許請求の範囲】
【請求項１】
節電状態の通知のための発光部品が設けられた第１電子基板とそれ以外の第２電子基板とを備えた画像処理装置であって、
前記第１電子基板に設けられ、状況に応じて電力の供給が停止される第１制御部と、
前記第２電子基板に設けられ、前記第１制御部に対する電力供給の停止中に動作する第２制御部と、
前記第１電子基板に設けられ、前記第１制御部から出力される第１制御信号と前記第１制御部に対する電力供給の停止中に前記第２制御部から出力される第２制御信号との組み合わせに応じて前記発光部品の点灯及び消灯を切り替える発光切替回路と、
を備えた画像処理装置。
【請求項２】
前記発光切替回路は、前記第１制御信号と前記第２制御信号との論理和に応じて前記発光部品の点灯及び消灯を切り替える回路である
請求項１に記載の画像処理装置。
【請求項３】
前記発光切替回路は、
前記第１制御信号のラインに接続された第１のダイオード及び前記第２制御信号のラインに接続された第２のダイオードとからなる論理和回路と、
前記論理和回路の出力に応じて前記発光部品に対する電力の供給及び遮断を切り替えるスイッチング回路と、を備える
請求項２に記載の画像処理装置。
【請求項４】
前記第１制御部が、前記第１電子基板に設けられた操作部に対する操作を検知し、該操作に対応した情報を前記第１電子基板に設けられた表示部に出力する制御部である
請求項１から請求項３のいずれかに記載の画像処理装置。
【発明の詳細な説明】
【技術分野】
【０００１】
本発明は、画像処理装置に関し、特に、第１電子基板の制御部に対する電力供給が停止中に第２電子基板の制御部によって点灯される発光部品の良否を、その第１電子基板単独で検査することができる画像処理装置に関するものである。
【背景技術】
【０００２】
昨今、プリンタ、複写機、ファクシミリ装置、又はそれらの装置の機能を併せ持つ複合機等の画像処理装置は、省電力化、使いやすさ及びコストダウンについて、益々高い要求が課されている。そして、昨今の画像処理装置は、使いやすさの向上のため、液晶ディスプレイや有機エレクトロルミネッセンスのディスプレイ等のパネルディスプレイを備えることが多い。そのような画像処理装置は、操作キーやタッチパネル等の操作部品への操作に対応した画像やメッセージ等のガイダンス情報を、パネルディスプレイにより出力する。また、昨今の画像処理装置は、ガイダンス情報の音声及びファクシミリ装置からの着信を通知するメロディ等の音響を出力する機能を備える場合もある。
【０００３】
一方、昨今の画像処理装置は、機能に応じて区分された複数の電子基板を備え、状況に応じてそれら電子基板各々に対する電力供給を個別に停止することにより、消費電力を抑制する。例えば、特許文献１には、所定の省エネモード設定手段により、一部の電子デバイスに対する電力供給を停止し、他の一部の電子デバイスに対して最低動作電圧を出力することについて示されている。
【０００４】
また、特許文献２には、システム本体と液晶ディスプレイを有するパネルサブシステムとを備え、節電モードの際、パネルサブシステムに対する電力供給を停止する複合機が示されている。さらに、特許文献３には、節電状態を通知するための発光部品（発光ダイオード）が、操作パネルに設けられ、操作パネル以外の制御部によって点灯されるファクシミリ装置について示されている。
【先行技術文献】
【特許文献】
【０００５】
【特許文献１】特開２００４−１１４３１９号公報
【特許文献２】特開平１１−７３４３号公報
【特許文献３】特開２００１−７９５４号公報
【発明の概要】
【発明が解決しようとする課題】
【０００６】
ところで、マンマシンインターフェース用の電子基板は、操作部品、表示部品及び節電状態を通知するための発光部品に加え、各部品を制御してガイダンス機能等を実現する制御部も実装されている。このようなマンマシンインターフェース用の電子基板は、多くの機能を有するため、不良が発生しやすい。また、複数の電子基板が組み合わされた後に、一部の電子基板の不良が発見された場合、画像処理装置の生産効率が大きく低下する。従って、マンマシンインターフェース用の電子基板は、それ単独で、操作部品を含む多くの実装部品の良否チェックが可能な構成を有することが好ましい。
【０００７】
一方、省電力化のためには、操作部品が操作されない可能性が高い状況下では、操作部品及び操作部品に対する操作を検知する制御部も、電力供給が停止されることが好ましい。その場合、特許文献３に示されるように、節電状態を通知するための発光部品は、それが実装されたマンマシンインターフェース用の電子基板（操作パネル）以外の電子基板に設けられた他の制御部によって点灯及び消灯が制御される。
【０００８】
即ち、従来の画像処理装置において、マンマシンインターフェース用の電子基板は、その電子基板内で点灯及び消灯を制御できない前記発光部品を含んでいる。そのため、従来の画像処理装置は、前記発光部品の良否を、マンマシンインターフェース用の電子基板単独でチェックできないという問題点があった。
【０００９】
本発明は、マンマシンインターフェース用の電子基板が、他の電子基板からの制御によって点灯される節電状態の通知用の発光部品を含んでいる場合に、その発光部品の良否を、マンマシンインターフェース用の電子基板単独でチェックすることができる画像処理装置を提供することを目的とする。
【課題を解決するための手段】
【００１０】
上記目的を達成するために、本発明に係る画像処理装置は、節電状態の通知のための発光部品が設けられた第１電子基板とそれ以外の第２電子基板とをを備え、さらに、以下に示される各構成要素を備える。第１の構成要素は、前記第１電子基板に設けられ、状況に応じて電力の供給が停止される第１制御部である。第２の構成要素は、前記第２電子基板に設けられ、前記第１制御部に対する電力供給の停止中に動作する第２制御部である。第３の構成要素は、前記第１電子基板に設けられ、前記第１制御部から出力される第１制御信号と前記第１制御部に対する電力供給の停止中に前記第２制御部から出力される第２制御信号との組み合わせに応じて前記発光部品の点灯及び消灯を切り替える発光切替回路である。
【００１１】
また、本発明に係る画像処理装置において、前記発光切替回路は、前記第１制御信号と前記第２制御信号との論理和に応じて前記発光部品の点灯及び消灯を切り替える回路であることが考えられる。より具体的には、前記発光切替回路が、論理和回路とスイッチング回路とを備えることが考えられる。例えば、前記論理和回路は、前記第１制御信号のラインに接続された第１のダイオード及び前記第２制御信号のラインに接続された第２のダイオードとからなる論理和回路である。また、前記スイッチング回路は、前記論理和回路の出力に応じて前記発光部品に対する電力の供給及び遮断を切り替える回路である。なお、前記第１制御部は、例えば、前記第１電子基板に設けられた操作部に対する操作を検知し、該操作に対応した情報を前記第１電子基板に設けられた表示部に出力する制御部である。
【発明の効果】
【００１２】
本発明に係る画像処理装置において、前記発光部品と同じ電子基板に設けられた前記発光切替回路は、前記第１制御部から前記第１制御信号の出力がない場合、及び前記第２制御部から前記第２制御信号の出力がない場合、のいずれの場合であっても、前記発光部品の点灯及び消灯を制御できる。従って、前記第１電子基板が節電状態であるときに、前記第１電子基板は、前記第１制御部を含むほぼ全ての部品に対する電力供給を停止した状態にすることができる。その結果、節電状態における前記第１電子基板の消費電力が、より低く抑えられる。さらに、前記発光切替回路を備えた前記第１電子基板は、前記第２電子基板と接続されなくても、それ単独で、前記発光部品の良否をチェックできる構成を有している。その結果、前記第１電子基板及び前記第２電子基板が組み合わされた後に、前記第１電子基板の不良が発見され、画像処理装置の生産効率が大きく低下するという問題点が、解消される。
【図面の簡単な説明】
【００１３】
【図１】本発明の実施形態に係る画像処理装置１のブロック図。
【図２】画像処理装置１のマンマシンインターフェース用の電子基板における発光ダイオードの駆動回路の第１例の概略図。
【図３】画像処理装置１のマンマシンインターフェース用の電子基板における発光ダイオードの駆動回路の第２例の概略図。
【発明を実施するための形態】
【００１４】
以下添付図面を参照しながら、本発明の実施の形態について説明する。なお、以下の実施の形態は、本発明を具体化した一例であって、本発明の技術的範囲を限定するものではない。
【００１５】
まず、図１に示されるブロック図を参照しつつ、本発明の実施形態に係る画像処理装置１について説明する。画像処理装置１は、プリンタ、スキャナ、複写機及びファクシミリ装置として機能する複合機である。図１に示されるように、画像処理装置１は、ＭＭＩ基板１０、メイン基板２０、スキャナユニット３０、プリンタユニット４０、ＮＣＵ(Network Control Unit)基板５０、ＬＡＮインターフェース基板６０、第１電源７０、第２電源８０及び制御スイッチ７１〜７３を備えている。また、前記ＭＭＩ基板１０、前記メイン基板２０、前記スキャナユニット３０が備えるスキャナ制御基板３１及び前記プリンタユニット４０が備えるプリンタ制御基板４１が、バス１００により接続されている。
【００１６】
前記ＭＭＩ(Man Machine Interface)基板１０は、マンマシンインターフェース用の電子基板である。前記ＭＭＩ基板１０は、キーマトリクス１１、パネルディスプレイ１２、第１発光ダイオード（ＬＥＤ）１３１、第２発光ダイオード１３２、ＭＭＩ制御回路１４、ＬＥＤ発光切替回路１５、音響出力用のアンプ１６、スピーカ１７、節電キー１８及び節電キー接続回路１９等が設けられた電子基板である。以下、前記ＭＭＩ基板１０において、前記キーマトリクス１１、前記パネルディスプレイ１２及びそれらを制御する前記ＭＭＩ制御回路１４の各部品に対する電力供給が停止された状態を節電状態、それら各部品に対して電力が供給されている状態を通常状態と称する。
【００１７】
２つの発光ダイオード１３１，１３２は、各々発光色が異なり、前記ＭＭＩ基板１０の動作の状態を、その点灯の状態によって通知する発光部品である。より具体的には、前記第１発光ダイオード１３１は、前記ＭＭＩ基板１０が通常状態であることを通知するための発光部品である。一方、前記第２発光ダイオード１３２は、前記ＭＭＩ基板１０が節電状態であることを通知するための発光部品である。例えば、前記第１発光ダイオード１３１は、緑色の発光ダイオードであり、前記第２発光ダイオード１３２は、赤色の発光ダイオードである。
【００１８】
前記ＭＭＩ基板１０の節電状態は、前記キーマトリクス１１、前記パネルディスプレイ１２及び前記ＭＭＩ制御回路１８の各部品に対する電力供給が停止されている状態である。前記ＭＭＩ基板１０の通常状態は、それら各部品を含む前記ＭＭＩ基板１０上の部品群に対して電力が供給されている状態である。なお、前記ＭＭＩ基板１０は、前記第１電子基板の一例である。前記ＭＭＩ制御回路１４は、後に説明する図２及び図３に示されるように、前記第２発光ダイオード１３２の点灯及び消灯を制御するための制御信号を出力するＭＰＵ１４１を備えている。
【００１９】
前記キーマトリクス１１は、前記ＭＭＩ基板１０が通常状態であるときに操作されることが想定された操作部品である。一方、前記節電キー１８は、前記ＭＭＩ基板１０の通電状態を、節電状態から通常状態へ復帰させるための操作部品である。前記ＭＭＩ制御回路１４は、前記キーマトリクス１１に対してマトリクススキャンを行う。マトリクススキャンは、前記キーマトリクス１１における前記信号出力ライン各々に対して信号を周期的に出力しつつ、信号出力ラインごとの操作キーのＯＮ／ＯＦＦ状態を検出する処理である。前記マトリクススキャンにより、前記ＭＭＩ制御回路１４は、操作キーに対する操作の状況を検知する。
【００２０】
前記節電キー接続回路１９は、前記節電キー１８と前記ＭＭＩ制御回路１４と前記メイン基板２０におけるＣＰＵ２１につながる信号ラインとを接続する回路である。前記ＣＰＵ２１は、前記ＭＭＩ基板１０が節電状態であるときに、前記節電キー接続回路１９を通じて、前記節電キー１８に対する操作の有無を検知する。また、前記ＣＰＵ２１が前記節電キー接続回路１９に接続されていない状況化において、前記ＭＭＩ制御回路１４は、前記節電キー接続回路１９を通じて、前記節電キー１８に対する操作の有無を検知できる。
【００２１】
前記ＬＥＤ発光切替回路１５は、前記第１発光ダイオード１３１及び前記第２発光ダイオード１３２の点灯及び消灯を切り替える回路である。後述するように、前記ＬＥＤ発光切替回路１５は、前記ＭＭＩ制御回路１４における前記ＭＰＵ１４１から出力される制御信号と、前記メイン基板２０におけるＣＰＵ２１から出力される制御信号との組み合わせに応じて、前記第２発光ダイオード１３２の点灯及び消灯を切り替える回路である。その詳細については後述する。
【００２２】
また、前記ＭＭＩ制御回路１４は、前記キーマトリクス１１に対する操作に対応した表示情報の映像信号を生成し、その映像信号を前記パネルディスプレイ１２に出力する。前記表示情報は、例えば、キー操作により選択された機能の情報、キー操作により入力された文字の情報及びキー操作により要求されたガイダンス情報等である。これにより、前記パネルディスプレイ１２は、画像及び文字列を含む情報を表示する。前記パネルディスプレイ１２は、例えば、液晶パネル及びバックライトからなる液晶ディスプレイ、又は有機エレクトロルミネッセンスのディスプレイである。なお、前記キーマトリクス１１に対する操作の検知、及びその操作に対応した情報を前記パネルディスプレイ１２に出力する処理は、図２及び図３に示されるＭＰＵ１４１により実行される。
【００２３】
また、前記ＭＭＩ制御回路１４は、前記キーマトリクス１１に対する操作に対応した音響信号を生成し、その音響信号を前記アンプ１６に出力する。この音響信号は、例えば、操作キーの操作音、キー操作により要求されたガイダンスの音声及びエラー通知のためのビープ音等である。前記ＭＭＩ制御回路１４は、音響信号を生成して前記アンプ１６へ出力する音響信号生成素子を備えている。
【００２４】
前記アンプ１６は、音響信号を増幅し、増幅後の音響信号を前記スピーカ１７へ出力する。このアンプ１６には、前記ＭＭＩ制御回路１４及び前記メイン基板２０における音響信号生成素子２７の各々から出力される音響信号が入力される。そして、前記アンプ１６及びこれに接続された前記スピーカ１７は、入力された音響信号に対応した音響を出力する。
【００２５】
前記スキャナユニット３０は、スキャナ制御基板３１、ＣＣＤ(Charge Coupled Device)ラインセンサ３２及びその他の各種のセンサを備えている。そのセンサは、例えば、原稿センサ３３及び原稿カバーセンサ３４等である。前記ＣＣＤラインセンサ３２は、原稿を走査することにより、その原稿の画像を１ライン分ずつ読み取るイメージセンサである。前記原稿センサ３３は、自動ドキュメントフィーダ（ＡＤＦ）に原稿がセットされたことを検出するセンサである。また、前記原稿カバーセンサ３４は、原稿台を開閉可能に設けられた原稿カバーが、原稿台を覆う閉状態であるか、原稿台を解放する開状態であるかを検出するセンサである。前記スキャナ制御基板３１は、前記原稿センサ３３及び前記原稿カバーセンサ３４の検出結果に基づいて、画像のスキャン処理の中断、エラーメッセージの通知等の制御も行う。なお、エラーメッセージの通知は、前記メイン基板２０及び前記ＭＭＩ基板１０を介して行われる。
【００２６】
前記スキャナユニット３０は、さらに、不図示の駆動機構を備えている。この駆動機構は、前記ＣＣＤラインセンサ３２を原稿に対して主走査方向に移動させる機構である。前記スキャナ制御基板３１は、前記駆動機構を制御することにより、原稿に対する前記ＣＣＤラインセンサ３２の走査を制御する。前記ＣＣＤラインセンサ３２により得られる画像データは、前記メイン基板２０へ伝送される。また、前記スキャナ制御基板３１は、前記原稿センサ３３及び前記原稿カバーセンサ３４の検出結果に基づいて、前記ＣＣＤラインセンサ３２の走査の開始や停止を制御する。
【００２７】
前記プリンタユニット４０は、不図示の画像転写装置、プリンタ制御基板４１、及び各種のセンサを備えている。そのセンサは、例えば、搬送路カバーセンサ４２，カセットセンサ４３及びジャムセンサ４４等である。前記画像転写装置は、カセットに収容されたシート材を搬送するローラ、そのシート材にトナー画像を転写する画像転写部、シート材にトナー画像を溶着させる定着装置等を備えている。前記プリンタ制御基板４１は、前記画像転写装置を制御するプリンタ制御回路が実装された電子基板である。
【００２８】
前記搬送路カバーセンサ４２は、シート材の搬送路のカバーの開閉状態を検出するセンサである。また、前記カセットセンサ４３は、シート材が収容されるカセットが正常にセットされているか否かを検出するセンサである。また、前記ジャムセンサ４４は、シート材の詰まりを検出するセンサである。そして、前記プリンタ制御基板４１は、前記搬送路カバーセンサ４２、前記カセットセンサ４３及び前記ジャムセンサ４４の検出結果に基づいて、プリント処理の中断、エラーメッセージの通知等の制御も行う。なお、エラーメッセージの通知は、前記メイン基板２０及び前記ＭＭＩ基板１０を介して行われる。
【００２９】
前記メイン基板２０は、ＣＰＵ(Central Processing Unit)２１、ＲＯＭ(Read Only Memory)２２、ＳＲＡＭ(Static Random Access Memory)２３、メモリコントローラ２４、ＳＤＲＡＭ(Synchronous Dynamic Random Access Memory)２５、コーデック２６、音響信号生成素子２７、モデム２８及び切替スイッチ２９等の部品が実装された電子基板である。前記ＣＰＵ２１は、前記ＲＯＭ２２に記録された制御プログラムを実行することにより、当該画像処理装置１の動作を制御する。前記メモリコントローラ２４は、前記ＣＰＵ２１による前記ＳＤＲＡＭ２５に対するアクセスを仲介するインターフェースである。前記ＳＲＡＭ２３は、前記ＣＰＵ２１により更新及び参照されるデータを記憶する。
【００３０】
前記モデム２８は、前記ＮＣＵ基板５０を通じて外部のファクシミリ装置へ送信するデータの送信信号を変調する処理及び前記ＮＣＵ基板５０基板５０により得られる受信信号を復調する処理を行う。さらに、前記モデム２８は、公衆回線を通じた外部のファクシミリ装置との通信中に、通信中であることを表す音響信号を出力する。以下、この音響信号のことを、回線の音響信号と称する。
【００３１】
また、前記ＮＣＵ基板５０は、公衆回線に接続され、外部のファクシミリ装置との間でやりとりされる発呼信号及びコマンドを送信及び受信することにより、発信及び着信の制御及びダイヤル制御を行う。前記ＣＰＵ２１は、外部のファクシミリ装置との間で、前記ＮＣＵ基板５０及び前記モデム２８を通じて、画像データの送信及び受信を行う。
【００３２】
ＬＡＮインターフェース基板６０は、前記ＣＰＵ２１と外部の計算機との間のネットワーク通信を制御する電子基板であり、一般にＮＩＣ(Network Interface Card)と称される。前記ＣＰＵ２１は、外部の計算機との間で、前記ＬＡＮインターフェース基板６０を通じて、画像データの送信及び受信を行う。
【００３３】
前記コーデック２６は、前記スキャナユニット３０、前記モデム２８及び前記ＬＡＮインターフェース基板６０  の各々により得られる画像データを圧縮して前記ＳＤＲＡＭ２５に記録する処理、及び圧縮された画像データを伸張する処理を行う。
【００３４】
前記音響信号生成素子２７は、音響信号を生成し、その音響信号を前記アンプ１６へ出力する電子部品である。前記音響信号生成素子２７は、例えば、ＡＳＩＣ等により構成されている。この音響信号生成素子２７により生成される音響信号は、例えば、画像データの処理のエラーを通知する音響信号及び前記ＮＣＵ基板５０により他のファクシミリ装置からの着信を通知するメロディの音響信号等である。ここで、エラーを通知する音響信号は、例えば、前記プリンタユニット４０において画像データに基づくプリント処理のエラーを通知する音響信号、及び前記ＬＡＮインターフェース基板６０における画像データの受信処理のエラーを通知する音響信号等である。
【００３５】
前記切替スイッチ２９は、前記ＣＰＵ２１から出力される制御信号に応じて、前記音響信号生成素子２７から出力される音響信号及び前記モデム２８から出力される音響信号のうちのいずれか一方を選択するスイッチである。この切替スイッチ２９により選択された音響信号は、前記ＭＭＩ基板１０における前記アンプ１６へ出力される。
【００３６】
以上に示したように、画像処理装置１は、機能に応じて区分された複数の電子基板１４、２０、３１、４１、５０、６０を備えている。そして、前記ＣＰＵ２１は、状況に応じてそれら電子基板各々に対する電力供給を個別に停止することによって省電力制御を行う。前記ＣＰＵ２１は、前記節電キー１８に対し、前記ＭＭＩ基板１０に設けられた前記節電キー接続回路１９を介して接続されている。そして、前記ＣＰＵ２１は、前記ＭＭＩ基板１０が節電状態及び通常状態の各々であるときに、前記節電キー１８に対する操作を検知する。なお、前記ＭＭＩ基板１０が備える前記ＭＰＵ１４１は、状況に応じて電力の供給が停止される前記第１制御部の一例である。
【００３７】
前記メイン基板２０に設けられた前記ＣＰＵ２１は、前記ＭＰＵ１４１を含む前記制御回路１４に対する電力供給が停止されている前記節電状態においても、電力供給が維持されて動作する。なお、前記メイン基板２０及び前記ＣＰＵ２１は、それぞれ前記第２電子基板及び前記第２制御部の一例である。
【００３８】
前記省電力制御において、前記ＣＰＵ２１は、前記制御スイッチ７１の制御により、前記ＭＭＩ基板１０の通電状態を、前記節電状態又は前記通常状態のいずれかへ切り替える。同様に、前記ＣＰＵ２１は、前記制御スイッチ７２及び前記制御スイッチ７３各々の制御により、前記スキャナ制御基板３１及び前記プリンタ制御基板４１各々に対する電力供給のＯＮ／ＯＦＦを切り替える。但し、前記ＭＭＩ基板１０においては、前記キーマトリクス１１、前記パネルディスプレイ１２及び前記ＭＭＩ制御回路１４に対する電力供給ラインと、前記アンプ１６に対する電力供給ラインとが、独立して設けられている。
【００３９】
なお、前記制御スイッチ７１〜７３は、例えば、前記メイン基板２０に実装される。或いは、前記制御スイッチ７１〜７３の各々が、前記ＭＭＩ基板１０、前記スキャナ制御基板３１及び前記プリンタ制御基板４１の各々に実装されることも考えられる。
【００４０】
例えば、前記ＣＰＵ２１は、前記キーマトリクス１１及び前記節電キー１８に対する操作が、第１の待ち時間（ｔ１）以上継続して検知されない場合に、前記ＭＭＩ基板１０における前記キーマトリクス１１，前記パネルディスプレイ１２及び前記ＭＭＩ制御回路１４に対する電力供給を停止する。これにより、前記ＭＭＩ基板１０は節電状態となる。その節電状態において、前記アンプ１６に対する電力供給は維持される。
【００４１】
前記ＭＭＩ基板１０が節電状態であるとき、前記メイン基板２０及び前記アンプ１６は電力が供給されている。そのため、前記ＭＭＩ基板１０が節電状態である場合でも、前記節電キー接続回路１９を介して前記節電キー１８に接続された前記ＣＰＵ２１は、前記節電キー１８のＯＮ／ＯＦＦの状態を検知できる。また、前記ＭＭＩ基板１０が節電状態である場合でも、前記メイン基板２０は、外部装置からのアクセスに応じて、データ処理及び音響出力処理を行うことが可能である。
【００４２】
また、前記ＣＰＵ２１は、前記ＭＭＩ基板１０が節電状態であるときに、前記節電キー１８に対する操作を検知すると、前記キーマトリクス１１，前記パネルディスプレイ１２及び前記ＭＭＩ制御回路１４に対する電力供給を復帰させる。これにより、前記ＭＭＩ基板１０が通常状態となり、前記キーマトリクス１１及び前記パネルディスプレイ１２が、使用可能な状態となる。
【００４３】
また、前記ＣＰＵ２１は、前記スキャナユニット３０が動作しない時間が、第２の待ち時間（ｔ２）以上継続した場合に、前記スキャナ制御基板３１に対する電力供給を停止する。同様に、前記ＣＰＵ２１は、前記プリンタユニット４０が動作しない時間が、第３の待ち時間（ｔ３）以上継続した場合に、前記プリンタ制御基板４１に対する電力供給を停止する。前記ＭＭＩ基板１０、前記スキャナ制御基板３１及び前記プリンタ制御基板４１の各々に対して予め設定された前記第１の待ち時間（ｔ１）、前記第２の待ち時間（ｔ２）及び前記第３の待ち時間（ｔ３）は、前記ＳＲＡＭ２３に予め記憶される。
【００４４】
一方、前記ＣＰＵ２１は、前記キーマトリクス１１に対する操作又は外部装置からのアクセスに応じて、原稿の画像のスキャン処理又はプリント処理が必要となったときに、その処理を実行するために必要な前記スキャナ制御基板３１又は前記プリンタ制御基板４１に対する電力供給を復帰させる。このように、画像処理装置１は、機能に応じて区分された複数の電子基板１４、３１、４１各々に対する電力供給を、状況に応じて個別に停止することによって省電力制御を行う。
【００４５】
また、画像処理装置１は、商用電源に接続されている状況下で、常に電力の供給を続ける前記第１電源７０と、前記ＣＰＵ２１の制御により、電力の出力を停止可能な第２電源８０と備えている。前記メイン基板２０、前記ＮＣＵ基板５０及び前記ＬＡＮインターフェース基板６０は、前記第１電源７０から電力が供給される。一方、前記スキャナ制御基板３１及び前記プリンタ制御基板４１は、前記第２電源８０から電力が供給される。なお、図１において、矢印付きの波線は、電力供給ラインを表す。
【００４６】
また、前記ＭＭＩ基板１０に実装された部品には、前記第１電源７０から電力が供給される部品と、前記第２電源８０から電力が供給される部品とが混在する。即ち、前記キーマトリクス１１、前記パネルディスプレイ１２及び前記ＭＭＩ制御回路１４は、前記第２電源８０から電力が供給される。一方、音響出力に関する前記アンプ１６及び前記ＬＥＤ発光切替回路１５は、前記第２電源８０から電力が供給される。
【００４７】
そして、前記ＣＰＵ２１は、前記第２電源８０の出力が不要である場合に、前記第２電源８０の電力の出力を停止する。これにより、前記第２電源８０の待機中の消費電力を抑制できる。前記第２電源８０の出力が不要である場合とは、前記制御スイッチ７１〜７３により、前記第２電源８０から前記ＭＭＩ基板１０、前記スキャナ制御基板３１及び前記プリンタ制御基板４１への電力供給が停止されている場合である。また、前記ＣＰＵ２１は、前記節電キー１８が予め定められた時間以上継続して押し続けられた場合にも、前記第２電源８０の電力の出力を停止する。これにより、オペレータは、手動操作により、画像処理装置を最も消費電力の少ない状態へ移行させることができる。
【００４８】
（ＬＥＤ発光切替回路の第１例）次に、図２を参照しつつ、前記ＭＭＩ基板１０における前記ＬＥＤ発光切替回路１５の第１例について説明する。図２に示される前記ＬＥＤ発光切替回路１５は、前記ＭＭＩ制御回路１４における前記ＭＰＵ１４１が出力する制御信号のラインと、前記メイン基板２０における前記ＣＰＵ２１が出力する制御信号のラインと、前記第１発光ダイオード１３１及び前記第２発光ダイオード１３２とに接続されている。
【００４９】
より具体的には、前記ＬＥＤ発光切替回路１５は、前記ＭＰＵ１４１が出力する制御信号のラインと、前記第１発光ダイオード１３１とに接続された第１スイッチング回路１５１を備えている。この第１スイッチング回路１５１は、前記ＭＰＵ１４１からの制御信号のＯＮ／ＯＦＦに応じて、前記第１発光ダイオード１３１の点灯及び消灯を切り替える回路である。図２に示される前記第１スイッチング回路１５１は、２つのトランジスタにより構成されている。そして、前記ＭＰＵ１４１が出力する制御信号がＯＮである場合に、前記第１発光ダイオード１３１は点灯し、同制御信号がＯＦＦである場合に、前記第１発光ダイオード１３１は消灯する。
【００５０】
前記第１発光ダイオード１３１は、前記ＭＭＩ基板１０が通常状態であるときにのみ、前記ＭＰＵ１４１によって点灯されれば足りる発光部品である。そのため、前記第１スイッチング回路１５１は、前記第１電源７０及び前記第２電源８０のいずれによって電力が供給されてもよい。
【００５１】
さらに、前記ＬＥＤ発光切替回路１５は、前記ＭＰＵ１４１から出力される第１制御信号と、前記節電状態において前記ＣＰＵ２１から出力される第２制御信号との組合せに応じて、前記第２発光ダイオード１３２の点灯及び消灯を切り替える回路である。その回路は、図２に示されるように、論理和回路１５２及び第２スイッチング回路１５３を備えている。前記第２制御信号は、前記ＭＰＵ１４１に対する電力供給が停止される前記節電状態において、前記ＣＰＵ２１から出力される信号である。なお、前記第１制御信号は、前記第１発光ダイオード１３１に対する制御信号とは別の信号である。
【００５２】
図２に示される前記論理和回路１５２は、前記第１制御信号のラインに接続されたダイオード１５２１及び前記第２制御信号のラインに接続されたダイオード１５２２とからなる論理和回路である。２つのダイオード１５２１，１５２２各々の出力端は、前記論理和回路１５２の１つの出力端に結合されている。また、前記第２スイッチング回路１５３は、前記論理和回路１５２の出力のＯＮ／ＯＦＦに応じて、前記第２発光ダイオード１３２に対する電力の供給及び遮断を切り替える回路である。図２に示される前記第２スイッチング回路１５２は、２つのトランジスタにより構成されている。
【００５３】
そして、前記第１制御信号及び前記第２制御信号のうちの少なくとも一方がＯＮである場合に、前記第２発光ダイオード１３２は点灯し、前記第１制御信号及び前記第２制御信号の両方がＯＦＦである場合に、前記第２発光ダイオード１３２は消灯する。なお、図２に示される前記ＬＥＤ発光切替回路１５は、従来の回路に対して２つの前記ダイオード１５２１，１５２２が追加されただけの回路である。
【００５４】
前記第２発光ダイオード１３２は、前記ＭＭＩ基板１０が節電状態であるときにのみ、前記ＣＰＵ２１によって点灯される発光部品である。そのため、前記第２スイッチング回路１５２は、前記第１電源７０によって電力が供給される。
【００５５】
画像処理装置１において、前記第２発光ダイオード３２と同じ電子基板（前記ＭＭＩ基板１０）に設けられた前記ＬＥＤ発光切替回路１５は、前記ＭＰＵ１４１（第１制御部）から前記第１制御信号の出力がない場合、及び前記ＣＰＵ２１（第２制御部）から前記第２制御信号の出力がない場合、のいずれの場合であっても、前記第２発光ダイオード１３１の点灯及び消灯を制御できる。従って、前記ＭＭＩ基板１０が節電状態であるときに、前記ＭＭＩ基板１０は、前記ＭＰＵ１４１を含むほぼ全ての部品に対する電力供給を停止した状態にすることができる。その結果、節電状態における前記ＭＭＩ基板１０の消費電力が、より低く抑えられる。
【００５６】
さらに、前記ＬＥＤ発光切替回路１５を備えた前記ＭＭＩ基板１０は、前記メイン基板２０と接続されなくても、それ単独で、前記第１発光ダイオード１３１及び前記第２発光ダイオード１３２の両方の良否をチェックできる構成を有している。その結果、前記ＭＭＩ基板１０及び前記メイン基板２０が組み合わされた後に、前記ＭＭＩ基板１０の不良が発見され、画像処理装置１の生産効率が大きく低下するという問題点が、解消される。しかも、それらのメリットは、従来の回路に対して２つのダイオード１５２１，１５２２を追加するだけで得られる。
【００５７】
より具体的には、前記ＭＰＵ１４１は、前記メイン基板２０が接続されない状態で、予め前記ＲＯＯＭ２２に記憶されたテスト用プログラムを実行することにより、前記第１発光ダイオード１３１及び前記第２発光ダイオード１３２の各々を個別に点灯及び消灯させる制御信号の出力を行う。それら制御信号の出力に応じて、前記第１発光ダイオード１３１及び前記第２発光ダイオード１３２各々の点灯及び消灯が切り替われば、前記第１発光ダイオード１３１及び前記第２発光ダイオード１３２は、前記ＭＭＩ基板１０において正常に実装されている。
【００５８】
以上に示したように、前記ＭＭＩ基板１０は、それ単独で、通常状態で使用される前記第１発光ダイオード１３１と節電状態で使用される前記第２発光ダイオード１３２との両方の良否をチェックできる構成を有している。その結果、前記ＭＭＩ基板１０及び前記メイン基板２０が組み合わされた後に、前記ＭＭＩ基板１０の不良が発見され、画像処理装置１の生産効率が大きく低下するという問題点が、解消される。さらに、図２に示される第１例は、従来の回路に２つのダイオード１５２１，１５２２を追加するだけで実現できるというメリットを有する。
【００５９】
（ＬＥＤ発光切替回路の第２例）次に、図３を参照しつつ、前記ＬＥＤ発光切替回路１５（第１例）と代替可能なＬＥＤ発光切替回路１５０（第２例）について説明する。図３に示される前記ＬＥＤ発光切替回路１５０も、前記第１例と同様に、前記ＭＭＩ基板１０において、前記ＭＰＵ１４１から出力される前記第１制御信号と、前記ＣＰＵ２１から出力される前記第２制御信号との組み合わせに応じて、前記第２発光ダイオード１３２の点灯及び消灯を切り替える回路を有している。
【００６０】
図３に示される第２例は、図２に示された第１例と比較して、前記第２発光ダイオード１３２の点灯及び消灯を切り替える回路の部分のみが異なる。図３において、図２に示される構成要素と同じ構成要素は、同じ参照符号が付されている。以下、図３に示される第２例における前記第１例と異なる点についてのみ説明する。
【００６１】
図３に示される前記ＬＥＤ発光切替回路１５０は、前記ＬＥＤ発光切替回路１５における前記論理和回路１５２及び前記第２スイッチング回路１５２に代えて、３つのトランジスタ１５４，１５５，１５６を備えている。２つのトランジスタ１５４，１５５は、前記第１制御信号のライン及び前記第２制御信号のライン各々に接続され、前記第１制御信号及び前記第２制御信号を入力とするＮＯＲ回路を構成している。そして、残りのトランジスタ１５６は、前記ＮＯＲ回路の出力に応じて前記第２発光ダイオード１３２の点灯及び消灯を切り替える。即ち、前記トランジスタ１５６は、前記ＮＯＲ回路の出力がＯＦＦ（Ｌｏｗ）であるときに前記第２発光ダイオード１３２を点灯させ、前記ＮＯＲ回路の出力がＯＮ（Ｈｉｇｈ）であるときに前記第２発光ダイオード１３２を消灯させる。なお、図３に示される前記ＬＥＤ発光切替回路１５０は、従来の回路に対して１つの前記トランジスタ１５５が追加されただけの回路である。
【００６２】
前記画像処理装置１は、前記ＬＥＤ発光切替回路１５の代わりに前記ＬＥＤ発光切替回路１５０が採用された場合も、前記ＬＥＤ発光切替回路１５が採用された場合と同様の作用及び効果を有する。
【００６３】
以上に示した実施形態では、前記ＭＭＩ基板１０の動作状態を通知する発光部品は発光ダイオードであるが、消費電力の小さな他の発光部品が採用されてもよい。また、前記ＬＥＤ発光切替回路１５は、図２に示される第１例とは異なる論理和回路及びスイッチング回路を備えることも考えられる。
【産業上の利用可能性】
【００６４】
本発明は、画像処理装置に利用可能である。
【符号の説明】
【００６５】
１    画像処理装置
１０  ＭＭＩ基板
１１  キーマトリクス
１２  パネルディスプレイ
１３  発光ダイオード
１４  ＭＭＩ制御回路
１５  ＬＥＤ発光切替回路
１６  アンプ
１７  スピーカ
１８  節電キー
１９  節電キー接続回路
２０  メイン基板
２１  ＣＰＵ
２２  ＲＯＭ
２３  ＳＲＡＭ
２４  メモリコントローラ
２５  ＳＤＲＡＭ
２６  コーデック
２７  音響信号生成素子
２８  モデム
２９  切替スイッチ
３０  スキャナユニット
３１  スキャナ制御基板
３２  ラインセンサ
３３  原稿センサ
３４  原稿カバーセンサ
４０  プリンタユニット
４１  プリンタ制御基板
４２  搬送路カバーセンサ
４３  カセットセンサ
４４  ジャムセンサ
５０  ＮＣＵ基板
６０  ＬＡＮインターフェース基板
７０  第１電源
７１〜７３  制御スイッチ
８０  第２電源
１００  バス
１５１  第１スイッチング回路
１５２  論理和回路
１５３  第２スイッチング回路
１５２１，１５２２  ダイオード
１５４，１５５，１５６  トランジスタ
【図１】
2011097325.tif 000003
【図２】
2011097325.tif 000004
【図３】
2011097325.tif 000005